(57)【要約】【課題】フィラメントなどのバンドル用の部材を用いることなく、伸縮性、屈曲性、念回性を維持して複数の同軸ケーブルを集合させた形態を有する多芯ケーブルを提供する。【解決手段】多芯ケーブル１０は、細径同軸ケーブルを複数本編組してなるもので、編組した細径同軸ケーブルをチューブ状に形成したものである。多芯ケーブル１０の両端でそれぞれの細径同軸ケーブルを並列させて整線し、コネクタ２０の端子に結線することで、ケーブルハーネスとすることができる。また、細径同軸ケーブルを複数編組してチューブ形状に形成し、そのチューブ形状の中に抗張力体を配置した多芯ケーブルとして構成することもできる。細径同軸ケーブルの外径は０.３ｍｍ以下であることが好ましい。【選択図】図１
2013247102.tif 000002
【特許請求の範囲】
【請求項１】
細径同軸ケーブルを複数本編組してなることを特徴とする多芯ケーブル。
【請求項２】
細径同軸ケーブルを複数編組してチューブ形状に形成した編組同軸ケーブルと、前記編組同軸ケーブルのチューブ形状の中に配置した抗張力体と、を備えることを特徴とする多芯ケーブル。
【請求項３】
前記細径同軸ケーブルの外径は０.３ｍｍ以下であることを特徴とする請求項１または２に記載の多芯同軸ケーブル。
【発明の詳細な説明】
【技術分野】
【０００１】
本発明は、電子機器等における信号伝送の配線に適用される細径同軸ケーブルを用いた多芯ケーブルに関する。
【背景技術】
【０００２】
携帯端末、小型ビデオカメラ、ＰＣ（Personal Computer）、医療用機器等の種々の電子機器において、電子機器の信号伝送の配線に細径化された同軸ケーブルが多用されている。これら電子機器は、一層の小型化、軽量化、低コスト化が要望されており、電気配線についても、配線の省スペース化と配線作業性等の観点から、細径化された同軸ケーブルを多心化して、小型電気コネクタまたは回路基板等に電気接続することが多くなっている。
また、電子機器においては、相対移動される筐体や部品間を狭いスペースで電気的に接続する必要があり、多芯ケーブルにおいては、屈曲、捻回、摺動特性を備えつつ、さらなる高密度化、小型化が望まれている。
【０００３】
細径化された多芯同軸ケーブルの技術に関して、例えば特許文献１には、極細同軸ケーブルを複数本平面状に並列に配置し、隣接する極細同軸ケーブルを縦糸とし、伸縮性のあるしなやかなポリエステエル等のフィラメントを横糸として、極細同軸ケーブルを所定数本ごとにフィルメントで織ることで、複数の極細同軸ケーブルを集合させたものが開示されている。これにより、屈曲性あるいは可撓性の自由度が大きく、しかも特性インピーダンス等の電気的特性の悪影響を受けることがない極細平型ケーブルが得られるとされている。
【先行技術文献】
【特許文献】
【０００４】
【特許文献１】特開２００１−１０１９３４号公報
【発明の概要】
【発明が解決しようとする課題】
【０００５】
特許文献１の極細平型ケーブルは、複数の極細同軸ケーブルを伸縮性のあるフィラメントを使用して織ることにより、集合させ一体化している。しかしながら、フィラメントを使用するため、フィラメントの使用量や太さに応じて極細平型ケーブルの全体の容積が増大してしまう。また、極細同軸ケーブルの他に、これらを集合させるためのフィラメントが別途必要となる。
【０００６】
本発明は、上述のごとき実情に鑑みてなされたものであり、フィラメントなどのバンドル用の部材を用いることなく、伸縮性、屈曲性、捻回性を維持して複数の同軸ケーブルを集合させた形態を有する多芯ケーブルを提供することを目的とする。
【課題を解決するための手段】
【０００７】
本発明による多芯ケーブルは、細径同軸ケーブルを複数本編組してなる。
また、本発明による多芯ケーブルは、細径同軸ケーブルを複数編組してチューブ形状に形成した編組同軸ケーブルと、編組同軸ケーブルのチューブ形状の中に配置した抗張力体とを備える。上記の細径同軸ケーブルの外径は０.３ｍｍ以下とすることが望ましい。
【発明の効果】
【０００８】
本発明によれば、フィラメントなどのバンドル用の部材を用いることなく、伸縮性、屈曲性、捻回性を維持して複数の同軸ケーブルを集合させた形態を有する多芯ケーブルを提供することができる。
【図面の簡単な説明】
【０００９】
【図１】本発明に係る多芯ケーブルの構成の一例を示す図である。
【図２】編組同軸ケーブルの構成例を示す図である。
【図３】編組同軸ケーブルの他の構成例を示す図である。
【図４】本発明に係る多芯ケーブルの構成の他の例を示す図である。
【図５】本発明に係る多芯ケーブルの構成の更に他の例を示す図である。
【発明を実施するための形態】
【００１０】
図１は、本発明に係る多芯ケーブルの構成の一例を示す図である。多芯ケーブル１０は、細径同軸ケーブルを複数本編組してなるもので、編組した細径同軸ケーブルをチューブ状に形成したものである。
そして、多芯ケーブル１０の両端でそれぞれの細径同軸ケーブルを並列させて整線し、コネクタ３０の端子に結線することで、ケーブルハーネスとすることができる。個々の細径同軸ケーブルは、中央に中心導体が配置され、中心導体の周囲に絶縁体、外部導体、外被が順に被覆されたものとされる。
【００１１】
図２は、多芯ケーブルの編組の構成例を示す図である。多芯ケーブル１０は、細径同軸ケーブル１１を複数本束ねた細径同軸ケーブル束１２をチューブ形状となるように編んで作成される。
１束の細径同軸ケーブル束１２を構成する細径同軸ケーブル１１の数を持ち本数とし、多芯ケーブル１０を構成する細径同軸ケーブル束１２の数を打ち本数とすると、図２の構成は、持ち本数が２本で、打ち本数が８本の編組である。また、この多芯ケーブル１０は、隣接する細径同軸ケーブル束１２が間欠的に設けられた間欠編組を構成している。
【００１２】
図３は、多芯ケーブルの編組の他の構成例を示す図である。図３においても図２と同様に、多芯ケーブル１０は、細径同軸ケーブル１１を複数本束ねた細径同軸ケーブル束１２を編んで作成する。図３の構成では、多芯ケーブル１０の持ち本数が３本であり、打ち本数を１６本としている。
【００１３】
図２、図３に示すように、本発明に係る多芯ケーブル１０は、細径同軸ケーブル１１を編組したものとするが、編組の持ち本数や打ち本数等の構成自体は上記の例に限定されることなく、適宜設定することができる。そして、編組した細径同軸ケーブル１１をチューブ形状に形成することで、多芯ケーブル１０を得る。
【００１４】
多芯ケーブル１０では、細径同軸ケーブル１１自体を編組して形成することにより、複数の細径同軸ケーブル１１を集合させるために粘着テープや、特許文献１に記載されたフィラメントなどのバンドル用の部材が必要なくなり、細径同軸ケーブル１１自体の容量のみで構成することができ、電子機器の高密度配線、小型化に適応することができる。
【００１５】
また、多芯ケーブル１０は、複数の細径同軸ケーブル１１が編組構造で構成されているため、電子機器の配線用途等に要求される捻回性や屈曲性、伸縮性が得られる。
例えば、多芯ケーブル１０の細径同軸ケーブル１１が捻回、もしくは屈曲された場合、編組構造によって細径同軸ケーブル１１が捻じりや屈曲に追従して応力を分散しながら動き、細径同軸ケーブル１１に係る歪が抑えられて断線やシールド特性の悪化を防ぐことができる。例えば、携帯電話等の電子機器で互いにスライドする２つの筐体の基板間を接続するハーネスに適用する場合等において、筐体のスライドに応じて多芯ケーブル１０が屈曲することで、多芯ケーブル１０の筐体のスライドに従動できる。また、細径同軸ケーブル１１の編組構造によって、多芯ケーブル１０の長手方向に一定の範囲で伸縮できるようになる。
【００１６】
多芯ケーブル１０に使用する細径同軸ケーブル１１は、例えばＡＷＧ（American Wire Gage）の規格によるＡＷＧ４２よりも細い中心導体をもつ極細同軸ケーブルを用いるのが望ましい。ＡＷＧ４２の中心導体の外径は約０.０６ｍｍであり、したがって中心導体、絶縁体、外部導体、及び外被からなる細径同軸ケーブル１１の外径を０.３ｍｍ以下とすることとが望ましい。これにより、細径同軸ケーブル１１が曲がりやすくなり、屈曲や捻回に対する追従性や編組構造時の伸縮特性を向上させることができる。
【００１７】
図４は、本発明に係る多芯ケーブルの構成の他の例を示す図である。多芯ケーブル２０は、細径同軸ケーブルを複数本編組してチューブ形状の編組同軸ケーブル２２とし、その編組同軸ケーブル２２のチューブ形状の中に抗張力体２３が配置されている。また、編組同軸ケーブル２２の外側は外被２４で覆われて保護される。
【００１８】
編組同軸ケーブル２２は、細径同軸ケーブルを複数本束ねた細径同軸ケーブル束１２を編んでチューブ形状に作成する。編組構造は、例えば図２、図３に示すような構造とすることができる。
抗張力体２３には、引張り及び圧縮に対する耐力を有する線材が用いられる。線材としては、柔軟性を付与するためにアラミド繊維などを用いることが好適である。
外被２４は、樹脂製の絶縁材料で構成することができる。たとえば塩化ビニール（ＰＶＣ）製のチューブを用いて外被２４を構成することできる。また、オレフィン系樹脂（例えばポリエチレンなど）等の熱可塑性樹脂を用いて成形してよい。
【００１９】
図５は、本発明に係る多芯ケーブルの構成の更に他の例を示す図である。本例の多芯ケーブル２０は、上記図４に示す多芯ケーブル２０に加えて、さらに一括シールド層２５を設けた構成を有するものである。一括シールド層２５は、編組同軸ケーブル２２の外側に設けられ、編組同軸ケーブル２２を構成する複数の細径同軸ケーブルをさらに一括でシールドしてシールド特性を向上させる。一括シールド層２５は、丸線の横巻き構造または編組構造、扁平導体の横幕構造等により形成することができる。また、Ａｌ−ＰＥＴテープや銅蒸着ＰＥＴテープ等の金属層を含むテープを用いて形成することができる。
一括シールド層２５を除く他の構成については図４と同様であるため、繰り返しの説明は省略する。
【００２０】
上記図４、図５に示すような多芯ケーブル２０により、細径同軸ケーブル自体を編組してチューブ形状に形成し、その内部に抗張力体２３を配置するため、複数の細径同軸ケーブルを集合させるための特別のバンドル用の部材を必要とせず、バンドル用の部材による容量の増大を抑えることができる。また、細径同軸ケーブルが編組構造で構成されているため、電子機器の配線用途等に要求される捻回性や屈曲性、伸縮性が得られる。
【００２１】
また、図１〜図３の構成例と同様に、編組同軸ケーブル１０に使用する細径同軸ケーブル２１は、ＡＷＧ４２よりも細い中心導体を持つ０.３ｍｍ以下の外径とすることが望ましい。これにより、細径同軸ケーブルが曲がりやすくなり、屈曲や捻回に対する追従性や編組構造時の伸縮特性を向上させることができる。
【符号の説明】
【００２２】
１０…多芯ケーブル、１１…細径同軸ケーブル、１２…細径同軸ケーブル束、２０…多芯ケーブル、２２…編組同軸ケーブル、２３…抗張力体、２４…外被、２５…一括シールド層、３０…コネクタ。
【図１】
2013247102.tif 000003
【図２】
2013247102.tif 000004
【図３】
2013247102.tif 000005
【図４】
2013247102.tif 000006
【図５】
2013247102.tif 000007